(57)【要約】【課題】  凸形状拭体と凹形状拭体の２個の拭体で、ブラインドの羽の表裏面に付着した埃を同時に迅速に拭取り、該埃を吸取ることで室内への放散を防止する。【解決手段】  ブラインドの羽１２の曲面に合致する凹形面を形成して上拭体吸込口６ａを設けた上拭体２ａ、上台吸込側通気孔７ａ、上台空洞９ａ、上台排出側通気孔８ａ、上柄３ａを備えた上台１ａと前記凹形面と合致する凸形面を形成して下拭体吸込口６ｂを設けた下拭体２ｂ、下台吸込側通気孔７ｂ、下台空洞９ｂ、下台排出側通気孔８ｂ、下柄３ｂを備えた下台１ｂとが、前記上柄３ａ、下柄３ｂが弾性部５を介して連結して一組に構成し、更に上下排出側通気孔８ａ、８ｂは、上柄３ａと下柄３ｂの間に設けた蛇腹管４と連通して、ホース１１に掃除機器が接続できる。【選択図】図４
2013111464.tif 000002
【特許請求の範囲】
【請求項１】
ブラインドの羽１２の曲面に合致する凹形面を形成して上拭体吸込口６ａを設けた上拭体２ａ、上台吸込側通気孔７ａ、上台空洞９ａ、上台排出側通気孔８ａ、上柄３ａを備えた上台１ａと、前記凹形面と合致する凸形面を形成して下拭体吸込口６ｂを設けた下拭体２ｂ、下台吸込側通気孔７ｂ、下台空洞９ｂ、下台排出側通気孔８ｂ、下柄３ｂを備えた下台１ｂとが、前記上柄３ａ、下柄３ｂが弾性部５を介して一組に構成し、更に上下排出側通気孔８ａ、８ｂが、上下柄３ａ、３ｂに設けた蛇腹管４と連通したブラインドワイパー。
【請求項２】
上拭体２ａと上台１ａ、下拭体２ｂと下台１ｂはそれぞれ着脱できるように通気孔を有する上台接着部１０ａ、下台接着部１０ｂを設けた請求項１記載のブラインドワイパー。
【請求項３】
下台排出側通気孔８ｂの一端にホース１１を設け、掃除機器を接続できる請求項１記載のブラインドワイパー。
【発明の詳細な説明】
【発明の詳細な説明】
【技術分野】
【０００１】  本発明は、ブラインドの羽の表裏両面を握力で押圧しながら縦長方向に左右にスライドし、表裏両面に付着した埃を同時に拭取り、集塵することができる器具に関する。
【背景技術】
【０００２】  従来、ブラインドの羽に付着した埃を拭取る方法としては、水やクリナーを浸みこませた雑巾等で１枚ずつ丁寧に拭取るか、一般に市販されているブラシ等で払い除けている。
【発明が解決しようとする課題】
【０００３】  従来、ブラインドの羽に付着した埃を取る作業は雑巾等で一枚一枚丁寧に拭取るか、従来在るブラシ等の掃除具で払い除けている。このため作業時間に多大な労力を要し、また埃を回りに散らかしているに過ぎなかった。急いで作業を行うとつい粗暴になってしまいブラインドの羽を損傷してしまうという問題点があった。
【０００４】  本発明は、上述した技術背景に鑑みブラインド専用のためになされたもので、その目的はブラインドの羽の表裏両面を握力で押圧しながら縦長方向に左右にスライドし、表裏両面に付着した埃を同時に迅速に拭取り、該埃を掃除機器で吸い取ることを提供することにある。
【課題を解決するための手段】
【０００５】  上記課題を解決するために、請求項１記載に係るブラインドワイパーは次のように構成した。
【０００６】  請求項１：ブラインドの羽の曲面に合致する凹形面を形成して上拭体吸込口を設けた上拭体、上台吸込側通気孔、上台空洞、上台排出側通気孔、上柄を備えた上台と、前記凹形面と合致する凸形面を形成して下拭体吸込口を設けた下拭体、下台吸込側通気孔、下台空洞、下台排出側通気孔、下柄を備えた下台とが、前記上柄と下柄が弾性部を介して一組に構成し、更にそれぞれの排出側通気孔が、上柄、下柄に設けた蛇腹管と連通した。
【０００７】  また、請求項２記載にかかるブラインドワイパーは、下記に示すように構成した。
【０００８】  請求項２：上拭体と上台、下拭体と下台はそれぞれ着脱できるように適宜数の通気孔を有する接着部を設ける。
【０００９】  更には、請求項３記載にかかるブラインドワイパーは、下記に示すように構成した。
【００１０】  請求項３：請求項１又は請求項２記載のブラインドワイパーは排出側通気孔の一端にホースが接続できる接続部を設ける。
【発明を実施するための形態】
【００１１】  発明の実施の形態を実施例にもとづき図面を参照して説明する。
【００１２】  本発明に係るブラインドワイパーの特徴はブラインドの羽の表裏両面を押圧して挟み、縦長方向にスライドするもので、配列しているブラインドの羽の上下の両ピッチ範囲内で行い得るような形状寸法で製作されるものであり、以下に詳述する。
【００１３】  図１、図２、図３、図４及び図５においては実施形態に係るブラインドワイパーである。ブラインドの羽１２の曲面に合致する上拭体吸込口６ａを設けた上拭体２ａと上台吸込側通気孔７ａ、上台空洞９ａ、上台排出側通気孔８ａ、上柄３ａを備えた上台１ａに着脱できるように固着する。
【００１４】  更に前記凹形状と合致する下拭体吸込口６ｂを設けた下拭体２ｂ、下台吸込側通気孔７ｂ、下台空洞９ｂ、下台排出側通気孔８ｂ、下柄３ｂを備えた下台１ｂに着脱できるように固着する。
【００１５】  前記した上下拭体の上下拭体吸込口６ａ、６ｂ、上下台吸込側通気孔７ａ、７ｂ、上下台空洞９ａ、９ｂ、上下台排出側通気孔８ａ、８ｂは上柄３ａと下柄３ｂとの間に設けた蛇腹管４と連通する。更に上柄３ａと３ｂは弾性部５を介して連結する。
【００１６】  上下拭体吸込口６ａ、６ｂ、並びに上下台吸込側通気孔７ａ、７ｂ、は適宜数設け、それぞれの配列は合致する。
【００１７】  弾性部５は通常の状態に在っては、上拭体２ａと下拭体２ｂが開いた状態を形成する。
【００１８】  下柄３ｂの下台排出側通気孔８ｂの出口部にホース１１が接続でき、掃除機器のホースの口径を適宜調整して接続できる。
【００１９】  上下拭体２ａ、２ｂの材料は特に制限されて製作されるものではなく、スポンジ、皮、繊維、ブラシ等でそれぞれ凹面、凸面を形成している。
【００２０】  上下台接着部１０ａ、１０ｂは取外し出きるように両面テープ、マグネット板、通称マジックテープ等と呼んでいる接着物であり、上下拭体吸込口６ａ、６ｂが上下台吸込側通気孔７ａ、７ｂと配列が一致し通じ合っている。
【００２１】  上柄３ａと下柄３ｂを握り締め、押圧すると上拭体１ａと下拭体１ｂは接近する。
【００２２】  図６、図７においてはブラインドの羽１２に本発明を押圧挟着した実施例を表すもので、矢印１３方向に左右にスライドできる。
【発明の効果】
【００２３】  本発明は、以上説明したように構成されているので、以下に記載されるような効果を奏する。
【００２４】  上下２本の柄を握り締めることにより、上下２個の拭体がブラインドの羽の表裏面を同時に、しかも均一に押圧接触し、そのまま左右に移動することにより付着した埃を迅速に拭取ることができる。
【００２５】  拭取った埃はホースを介して掃除機器により吸引されるため、作業中に室内に放散することは無い。
【００２６】
【図面の簡単な説明】
【００２７】
【図１】  本発明にかかるブラインドワイパーの正面図。
【図２】  図１における平面図。
【図３】  図１における左側面図。
【図４】  図２におけるＡ−Ａ線断面図。
【図５】  図１におけるＢ−Ｂ線断面図。
【図６】  ブラインドの羽を挟んだ実施例を示す。
【図７】  図６におけるブラインドの羽を挟んだ拡大斜視図を示す。
【符号の説明】
【００２８】１ａ  上台
１ｂ  下台
２ａ  上拭体
２ｂ  下拭体
３ａ  上柄
３ｂ  下柄
４    蛇腹管
５    弾性部
６ａ  上拭体吸込口
６ｂ  下拭体吸込口
７ａ  上台吸込側通気孔
７ｂ  下台吸込側通気孔
８ａ  上台排出側通気孔
８ｂ  下台排出側通気孔
９ａ  上台空洞
９ｂ  下台空洞
１０ａ  上台接着部
１０ｂ  下台接着部
１１  ホース
１２  羽
１３  矢印
【図１】
2013111464.tif 000003
【図２】
2013111464.tif 000004
【図３】
2013111464.tif 000005
【図４】
2013111464.tif 000006
【図５】
2013111464.tif 000007
【図６】
2013111464.tif 000008
【図７】
2013111464.tif 000009